(57)【要約】      （修正有）【課題】コンパクトで、かつ、安定した梱包が可能で、梱包したときの耳桟の負担が少ないコルゲートサイドコンベヤベルトおよびその梱包方法を提供する。【解決手段】コルゲートサイドコンベヤベルト１は、ベースベルト２の幅方向の両端部にそれぞれ、波形の耳桟３がベルト長さ方向に沿って設けられており、両側の耳桟３のあいだに複数の横桟５がベルト長さ方向に所定ピッチで設けられている。そして、横桟５をベースベルト２にあらかじめ固着した複数の台座にそれぞれボルトおよびナットで固定し、台座と両方の耳桟３とのあいだにそれぞれ、少なくとも耳桟３の幅に相当する間隔Ｓをそれぞれ設ける。【選択図】図１
2008050105.tif 000002
【特許請求の範囲】
【請求項１】
ベースベルトのベルト幅方向の両端部にそれぞれ、波形の耳桟がベルト長さ方向に沿って設けられており、両方の前記耳桟のあいだに複数の横桟がベルト長さ方向に所定ピッチで設けられているコルゲートサイドコンベヤベルトにおいて、
前記各横桟は前記ベースベルトにあらかじめ固着されている複数の台座にそれぞれ螺子手段で固定されており、前記各台座と両方の前記耳桟とのあいだにそれぞれ、少なくとも前記耳桟の幅に相当する間隔が設けられていることを特徴とするコルゲートサイドコンベヤベルト。
【請求項２】
前記台座がベルト長さ方向に隙間を設けて並べられている一対の狭持部材からなり、これらの一対の狭持部材と両方の前記耳桟とのあいだに前記間隔が設けられ、前記横桟が前記隙間に挿入された状態で前記一対の狭持部材に螺子手段で固定されていることを特徴とする請求項１記載のコルゲートサイドコンベヤベルト。
【請求項３】
ベースベルトのベルト幅方向の両端部にそれぞれ、波形の耳桟がベルト長さ方向に沿って設けられており、両方の前記耳桟のあいだに複数の横桟がベルト長さ方向に所定ピッチで設けられているコルゲートサイドコンベヤベルトの梱包方法であって、
前記横桟を、前記ベースベルトにあらかじめ固着した複数の台座にそれぞれ螺子手段で固定する構造とし、さらに、前記各台座と両方の前記耳桟とのあいだに少なくとも前記耳桟の幅に相当する間隔を設けておき、
前記各横桟を前記各台座からそれぞれ取り外し、そのあと前記コルゲートサイドコンベヤベルトを九十九折に積み重ね、搬送側の面が対向する段において、上下の前記コルゲートサイドコンベヤベルトを互いに逆方向となるようにベルト幅方向にずらし、片方の前記耳桟が他方の前記コルゲートサイドコンベヤベルトの前記間隔の片方に収まるようにして積み重ねることを特徴とするコルゲートサイドコンベヤベルトの梱包方法。
【請求項４】
両方の前記耳桟を前記ベースベルトの内寄りに取り付けることで前記ベースベルトの前記各耳桟よりも外側にプーリの当接代を設け、前記間隔に収める方とは別の前記耳桟を、他方の前記コルゲートサイドコンベヤベルトの前記当接代の片方に上面を当接させた状態で積み重ねることを特徴とする請求項３記載の記コルゲートサイドコンベヤベルトの梱包方法。
【発明の詳細な説明】
【技術分野】
【０００１】
本発明は、主に急傾斜コンベヤ装置やバラ物搬送コンベヤ装置等に使用され、ベースベルトのベルト幅方向両端部にそれぞれ、波形に形成されている蛇腹状の耳桟がベルト長さ方向に連続して設けられており、両方の耳桟の内側が複数の横桟によって枡状に仕切られているコルゲートサイドコンベヤベルトとその梱包方法に関するものである。
【背景技術】
【０００２】
搬送物を急傾斜で搬送する場合や搬送物が骨材等のバラ物である場合、ベースベルトのベルト幅方向両端部にそれぞれ、波形に形成された耳桟をベルト長さ方向に連続して設け、両方の耳桟のあいだに複数の横桟をベルト長さ方向に所定ピッチで設けているコルゲートサイドコンベヤベルト（以下、単にコンベヤベルトとも言う）を用いることがある。このコンベヤベルトは、搬送物を両方の耳桟と前後の横桟とで囲まれた枡形の積載空間内に積載して搬送を行う（例えば特許文献１参照）。
【特許文献１】特開２００４−３０７１３０号公報（第３〜４頁、第２図）
【発明の開示】
【発明が解決しようとする課題】
【０００３】
しかしながら、上記コンベヤベルト１０１は耳桟１０３と横桟１０５とがベースベルト１０２に接着若しくは焼き付けによって固着されているため、図６と図６におけるＢ−Ｂ矢視拡大断面図である図７に示すように、図示しないパレット上に九十九折に積み重ねて梱包しようとすれば、搬送側の面が対向する段において上下のコンベヤベルト１０１を耳桟１０３の上面を突き合わせるようにして積み重ねなければならない。すると段の高さが耳桟の約２倍になるため梱包が嵩高くなり、特に大型のコンベヤベルトの場合は耳桟の高さが高いので積荷の大きさ制限内に収まりにくく、コンベヤベルトを複数に分割して別々に梱包し納入先で一本に接合するというような手間のかかる作業が必要になる。
【０００４】
また、搬送側の面が対向する段において、上下のコンベヤベルトの耳桟が縦に並んだ状態になっているため安定した梱包状態とは言い難く、しかも、耳桟どうしは上面が突き合わされ座屈が生じやすい状態になっており耳桟にかかる負担が少ないとは言えない。
【０００５】
そこで本発明はコンパクトで、かつ、安定した梱包が可能で、梱包したときの耳桟の負担が少ないコルゲートサイドコンベヤおよびその梱包方法を提供することを目的としている。
【課題を解決するための手段】
【０００６】
請求項１に記載のコルゲートサイドコンベヤ（以下、単にコンベヤベルトとも言う）は、ベースベルトの幅方向の両端部にそれぞれ、波形の耳桟がベルト長さ方向に沿って設けられており、両側の前記耳桟のあいだに複数の横桟がベルト長さ方向に所定ピッチで設けられているコルゲートサイドコンベヤベルトにおいて、前記横桟を前記ベースベルトにあらかじめ固着した複数の台座にそれぞれ螺子手段で固定し、前記台座と両方の前記耳桟とのあいだにそれぞれ、少なくとも前記耳桟の幅に相当する間隔を設けることを特徴としている。
【０００７】
この請求項１に記載しているコルゲートサイドコンベヤベルトによると、同コンベヤベルトを九十九折に積み重ねる際、前記横桟を前記台座から取り外しておけば、前記コンベヤベルトの搬送側の面が対向している段において、片方の前記耳桟が他方の前記コンベヤベルに設けられている前記間隔の片方に収まるようにして積み重ねることができる。つまり、上下の前記コンベヤベルトが前記耳桟を互い違にして組み合わされた状態になるため、従来のように前記耳桟を縦に並べた状態で積み重ねる場合に比べ高さを低くすることができるからである。
【０００８】
また、両方の前記耳桟を内寄りに取り付けて前記ベースベルトの前記各耳桟よりも外側にプーリの当接代を設けておけば、上下の前記コンベヤベルトの前記耳桟のうち外側に位置する前記耳桟を、他方の前記ベースベルトの前記当接代に当接させた状態で積み重ねることができる。そうすると、上下合わせて四列の前記耳桟が上の段の前記コンベヤベルトを支えることになるため、より安定した状態で、かつ、前記耳桟の負担が少ない状態で梱包することができる。
【０００９】
なお、取り外しておいた前記横桟は、螺子手段によって簡単に前記台座に取り付けることができるので、接着や焼付けする場合のような手間や養生時間を必要とせず、納入先での作業もスムーズに行うことができる。
【００１０】
請求項２に記載のコルゲートサイドコンベヤベルトは、台座をベルト長さ方向に隙間を設けて並べられている一対の狭持部材で構成し、これらの一対の狭持部材と両方の前記耳桟とのあいだに上記請求項１で記載した間隔を設け、前記横桟を前記隙間に挿入した状態で前記一対の狭持部材に螺子手段で固定することを特徴としている。
【００１１】
この請求項２に記載しているコルゲートサイドコンベヤベルトによれば、前記横桟が前記台座に対して容易に着脱できるため、前記横桟の取り外しや組み立てが手軽に行える。
【００１２】
請求項３のコルゲートサイドコンベヤベルトの梱包方法は、ベースベルトのベルト幅方向の両端部にそれぞれ、波形の耳桟がベルト長さ方向に沿って設けられており、両方の前記耳桟のあいだに複数の横桟がベルト長さ方向に所定ピッチで設けられているコルゲートサイドコンベヤベルトの梱包方法であって、
前記横桟を、前記ベースベルトにあらかじめ固着した複数の台座にそれぞれ螺子手段で固定する構造とし、さらに、前記各台座と両方の前記耳桟とのあいだに少なくとも前記耳桟の幅に相当する間隔を設けておき、
前記各横桟を前記各台座からそれぞれ取り外し、そのあと前記コルゲートサイドコンベヤベルトを九十九折に積み重ね、搬送側の面が対向する段において、上下の前記コルゲートサイドコンベヤベルトを互いに逆方向となるようにベルト幅方向にずらし、片方の前記耳桟が他方の前記コルゲートサイドコンベヤベルトの前記間隔の片方に収めるようにして積み重ねることを特徴としている。
【００１３】
この請求項３に記載しているコルゲートサイドコンベヤベルトの梱包方法は、搬送側の面が対向する段の高さを低く抑えることができるため、前記コンベヤベルトをコンパクトに梱包することができる。つまり、搬送側の面が対向する段において、上下の前記コンベヤベルトが前記耳桟を互い違いにして組み合わされた状態になるため、従来のように前記耳桟を縦に並べた状態で積み重ねる場合に比べ高さが低くなるからである。
【００１４】
なお、取り外した前記横桟は、前記台座に螺子手段によって簡単に前記ベースベルトに取り付けることができ、接着や焼付けする場合のような手間を要しない。
【００１５】
請求項４のコルゲートサイドコンベヤベルトの梱包方法は、両方の前記耳桟を前記ベースベルトの内寄りに取り付けることで前記ベースベルトの前記各耳桟よりも外側にプーリの当接代を設け、前記間隔に収める方とは別の前記耳桟を、他方の前記コルゲートサイドコンベヤベルトの前記当接代の片方に上面を当接させた状態で積み重ねることを特徴としている。
【００１６】
この請求項４に記載しているコルゲートサイドコンベヤベルトの梱包方法によれば、搬送側の面が対向する段において、上下の前記各コンベヤベルトはそれぞれ、前記間隔に収まる方と反対の前記耳桟が他方の前記コンベヤベルトの前記当接代に上面を当接させた状態になるため、結果として上下合わせて四列の前記耳桟によって上側に積み重ねられている前記コンベヤベルトを支えることになり、前記各耳桟にかかる負担を軽減することができる。
【発明の効果】
【００１７】
請求項１のコルゲートサイドコンベヤベルトは、高さを抑えつつ積み重ねることができるため梱包がコンパクトになり、コンベヤベルトが長尺の場合に分割数の少ない梱包が可能になる。また、横桟はベースベルトに螺子手段で取り付けられるため、接着や焼付けする場合のように養生時間や手間を必要とせず、納入先での組み立てを効率良く行うことができる。
【００１８】
請求項２のコルゲートサイドコンベヤベルトは、上記請求項１のコルゲートサイドコンベヤベルトの効果に加え、横桟の着脱作業を手早く行うことができる利点も備えている。
【００１９】
請求項３のコルゲートサイドコンベヤベルトは、高さを抑えながら積み重ねることができるため梱包をコンパクトに行うことができ、コンベヤベルトが長尺の場合には少ない分割数で梱包を行うことができる。
【００２０】
請求項４のコルゲートサイドコンベヤベルトは、梱包時の耳桟にかかる負担が少なく、輸送中における耳桟の傷みや変形によるくせ付きを防止することができる。
【発明を実施するための最良の形態】
【００２１】
本発明にかかるコルゲートサイドコンベヤベルト１（以下、コンベヤベルト１とも言う）は図１〜３に示すように、波形の横断面形状を有する蛇腹状の耳桟３が、ベースベルト２の搬送側の面におけるベルト幅方向（図中Ｘ方向）の両端部にベルト長さ方向（図中Ｙ方向）に連続して設けられている。ベースベルト２の幅方向両端部にはそれぞれ、耳桟３とベースベルト２の端とのあいだにクリアランスをとることによってプーリの当接代４が設けられている。これらの当接代４は耳桟３よりも幅広になっている。
【００２２】
そして、両方の耳桟３のあいだには複数の板状の横桟５が、ベルト長さ方向に所定のピッチで設けられている。各横桟５の内部には補強用の帆布Ｒを積層して補強層が設けられており、幅は両方の耳桟３の内幅よりも若干狭く、また、高さは耳桟３よりやや低くなっており、上側がコンベヤベルト１の走行方向に屈曲した形状になっている（図３）。なお、横桟５は屈曲していないフラット形状のものを用いることもできるし、補強層に帆布の代わりに鉄板等を用いることもできる。これらの横桟５はあらかじめベースベルト２に固着されている台座６にボルトで固定され取り外し可能になっている。
【００２３】
横桟５を固定する台座６は略Ｌ型の縦断面形状形を有する一対の狭持部材７・８からなり、各狭持部材７・８はその底部がベースベルト２に固定するための取付部７ａ・８ａになっており、取付部７ａ・８ａに立設されている部分が横桟５を挟み込む狭持部７ｂ・８ｂになっている。各狭持部７ｂ・８ｂの下部の一部に肉厚を薄くした部分を設けているのは、ある程度柔軟性を持たせることによってクラックの発生を抑制するためである。そして、狭持部７ｂ・８ｂの外側面を対向させるとともに、横桟５の厚みに相当する間隔を設けた状態でベルト長さ方向に並べて配置されている。これらの狭持部材７・８の幅は両方の耳桟３の内幅より狭くなっており、各台座６の幅方向両側には耳桟３とのあいだに耳桟３が収まる程度の幅を有した間隔Ｓが設けられている。
【００２４】
このように配置されている狭持部材７・８の狭持部７ｂ・８ｂのあいだに横桟５が挿入され、横桟５を両方の狭持部７ｂ・８ｂで挟んだ状態で一方の狭持部８ａから他方の狭持部８ｂに向かってボルト９を貫通させ、他方の狭持部８ｂから突出しているねじ部にナット１０を螺合することで横桟５を台座６に固定している。
【００２５】
また、横桟５の両側部にはそれぞれ、Ｕボルト１１がねじ部１２を側方に突出させた状態で埋設されており、各Ｕボルト１１のねじ部１２を耳桟３の内向きに突出した部分に穿設したボルト孔（図示は省略）に貫通させ、耳桟３の外側に突出したねじ部１２に座金１３を通してからワッシャーとナット１４とを取り付けることで耳桟３と横桟５とをボルト締結し、横桟５の倒れを防止している。
【００２６】
このように各横桟５は、螺子手段によって台座６に取り付けられているため着脱が容易で、接着や焼付けの場合に比べ取り扱いやすい。また、横棧５はベルト長さ方向に並べて配置されている一対の狭持部材７・８により狭持されるため、ベルト長さ方向の負荷に対する強度を備えている。
【００２７】
次に、このコルゲートサイドコンベヤベルト１を梱包する方法について図４および図５を用いて説明する（図５は図４におけるＡ―Ａ矢視拡大断面図）。無端状態に接合する前のコンベヤベルト１を、全ての横桟５を台座６および耳桟３から取り外した状態にする。そして、コンベヤベルト１を長方形状の図示しないパレットなどの上に、ベルト長さ方向の一方から順番にパレットの長手方向に展ばすようにして積み、パレットの端で折り返すことによって九十九折の状態に積み重ねる（図４）。このように、パレットの端で折り返す場合に木製ドラム等に巻き付けるようにすれば、折り返し部分においてコンベヤベルトが折れ曲がることを防ぐことができる。
【００２８】
このようにして九十九折に積み重ねる際、図５の断面図を用いて説明すると、コンベヤベルト１の搬送側の面が対向する段の下段１５においては、上側のコンベヤベルト１を下側のコンベヤベルト１に対して右側にずらし、左の耳桟３が下側のコンベヤベルト１の左の間隔Ｓに収まるようにするとともに、下側のコンベヤベルト１の右の耳桟３を上側のコンベヤベルト１の右の間隔Ｓに収めるようにして積み重ねる。
【００２９】
そして中段１６においては、上側のコンベヤベルト１を下側のコンベヤベルト１に対して左側にずらし、右の耳桟３が下側のコンベヤベルト１の右の間隔Ｓに収まるようにするとともに、下側のコンベヤベルト１の左の耳桟３を上側のコンベヤベルト１の左の間隔Ｓに収めるようにして積み重ねる。上段１７は下段１５と同じ要領で積み重ねる。
【００３０】
このようにして積み重ねると各段の耳桟３がベルト幅方向において同じ位置になり梱包したときの状態が安定する。また、各段において上下のコンベヤベルト１は、向かい合わせた状態で耳桟３を互い違いにして組み合わされているため、従来のように耳桟３が縦に並ぶような梱包に比べ高さを低くすることができ、同じ長さのコンベヤベルトをコンパクトに梱包することができる。
【００３１】
例えば、コンベヤベルトのスペックが、ベルト長さ７２ｍ、耳桟高さ５００ｍｍで、梱包状態の長さが１３ｍになるように梱包する場合、従来の梱包方法であれば高さが４ｍを上回るのに対し、上記方法であれば３ｍ以内に収めることができる。
【００３２】
したがって、コンベヤベルト１が長尺の場合には、分割数を少なくした梱包を行うことができる。さらに、各段において上下のコンベヤベルト１は、外側に位置している耳桟３が他方のコンベヤベルト１の当接代４に上面を当接させた状態で積み重ねられているため、下段１５および中段１６では上側に積まれているコンベヤベルト１を四列の耳桟３で支えることになり梱包状態が安定し、耳桟３にかかる負担も軽減される。
【００３３】
なお、上記実施形態のコンベヤベルト１に設けられている当接代４を設けない構造、つまり、両方の耳桟３をその外幅とベースベルト２のベルト幅とが一致するように設けたタイプのコンベヤベルトであっても、当接代があるタイプの上記コンベヤベルトと同様コンパクトな梱包が行える。
【００３４】
このようにコンパクトな梱包が行われると、ベルト長が長い場合には分割数が少なくなるため輸送が効率良く行え、また、荷姿が小さくなればより小さい輸送車両で賄うことが可能になり輸送コストを抑えることができ、さらに、運搬や荷降ろし等の取り扱いも簡単になる。
【００３５】
また、上記コンベヤベルト１は、外しておいた横桟５は台座６にボルト止めすれば簡単にベースベルト２に取り付けることができるので、接着や焼付けする場合のように接着剤が硬化するまでの養生時間や熱プレスをセットしたりする時間や手間が省け、効率の良いコンベヤベルトの組立作業が行なえる。
【図面の簡単な説明】
【００３６】
【図１】本発明にかかるコルゲートサイドコンベヤベルトの一部を示す斜視図。
【図２】コルゲートサイドコンベヤベルトの組み立て状態を説明するための同コンベヤベルトの一部を示す斜視図（一部に説明用の切り欠きを含む）。
【図３】横桟を台座に取り付けた状態における横桟および台座の断面図。
【図４】本発明にかかるコルゲートサイドコンベヤベルトの梱包方法によりコンベヤベルトを梱包した状態を示す側面図。
【図５】図４におけるＡ−Ａ矢視拡大断面図。
【図６】従来のコルゲートサイドコンベヤベルトの梱包方法によりコンベヤベルトを梱包した状態を示す側面図。
【図７】図６におけるＢ−Ｂ矢視拡大断面図。
【符号の説明】
【００３７】
１  コルゲートサイドコンベヤベルト（コンベヤベルト）
２  ベースベルト
３  耳桟
４  当接代
５  横桟
６  台座
７、８  狭持部材
９  ボルト
１０  ナット
Ｓ  間隔
【図１】
2008050105.tif 000003
【図２】
2008050105.tif 000004
【図３】
2008050105.tif 000005
【図４】
2008050105.tif 000006
【図５】
2008050105.tif 000007
【図６】
2008050105.tif 000008
【図７】
2008050105.tif 000009